(57)【要約】【課題】農業用温室において、収穫物や肥料、農業用機械機具その他の荷物を軽便に搬送する簡易搬送装置を提供する。【解決手段】回転軸が農業用温室の天井部位に設けた梁材の上に転動可能に、且つ棟方向に長く配置され、同回転軸の端部に回転伝達装置が設けられ、この回転伝達装置により回転軸を温室の間口方向へ転がして位置の変更が可能とされている。回転軸と同方向に長いレール部材が、回転軸の転がりを許容する構造の複数の吊り下げ部材によってほぼ水平に回転軸から吊り支持され、同レール部材を走行するトロリーが設置されており、トロリーから吊り下げられたコンテナ等を温室の棟方向及び間口方向へ搬送可能である。【選択図】図１
2004097166.tif 000002
【特許請求の範囲】
【請求項１】
回転軸が農業用温室の天井部位に設けた陸材の上に転動可能に、且つ棟方向に長く配置され、同回転軸の端部に回転伝達装置が設けられ、この回転伝達装置により回転軸を温室の間口方向へ転がして位置の変更が可能とされていること、
回転軸と同方向に長いレール部材が、前記回転軸の転がりを許容する構造の複数の吊り下げ部材によってほぼ水平に回転軸から吊り支持され、同レール部材を走行するトロリーが設置されており、前記トロリーから吊り下げられたコンテナ等を温室の棟方向及び間口方向へ搬送可能であることを特徴とする、農業用温室の簡易搬送装置。
【請求項２】
回転軸へ一端を正方向に巻き込んだ複数のベルト、及び負方向に巻き込んだ複数のベルトが回転軸の長手方向に複数箇所交互の配置で設けられ、各ベルトの他端は、前記回転軸に対し間口方向両側の温室部材に止着されていること、
前記回転軸が回転すると一側のベルトが回転軸に巻き込まれ、他側のベルトが巻き戻されて、同回転軸の間口方向への位置変更が強制的に行われることを特徴とする、請求項１に記載した農業用温室の簡易搬送装置。
【請求項３】
トロリーとコンテナの間にクレーン機構が設けられていること、
前記クレーン機構は、端部に回転伝達装置を備えたほぼ水平な回転軸がトロリーの下方に回転可能に支持されており、前記回転軸には、コンテナ等を吊る複数のワイヤー等の上端が同一方向に巻き込まれており、前記回転伝達装置によって回転軸を回転させてワイヤー等を巻き上げ、又は巻き下げてコンテナ等を昇降させる構成とされていることを特徴とする、請求項１又は２に記載した農業用温室の簡易搬送装置。
【発明の詳細な説明】
【０００１】
【発明の属する技術分野】
この発明は、プラスチックシートハウス、ガラス温室等のいわゆる農業用温室において、収穫物や肥料、農業用機械機具その他の荷物を軽便に搬送する目的で使用される農業用温室の簡易搬送装置の技術分野に関する。
【０００２】
【従来の技術】
従来、プラスチックシートハウス、ガラス温室等の農業用温室内で、大量の種子や苗あるいは収穫物や肥料等、更には重い噴霧器などの農業用機械機具を搬送することは大変な重労働になっている。そこで、作物の畝と畝の間の通路にタイヤ式車（主にねこ車）を走らせて搬送することや、同通路にレールを敷設して軌道式搬送車を走らせることなどが一般的に行われている（例えば、以下の特許文献１〜３参照）。
【０００３】
また、前記軌道式搬送車に昇降機構を設けた技術が公知に属する（例えば、以下の特許文献４参照）
【０００４】
【特許文献１】
特開平６−４６６７８号公報
【特許文献２】
特開平１１−９１００号公報
【特許文献３】
特開２００１−２９９０９３号公報
【特許文献４】
特開２０００−１５３７６０号公報
【０００５】
【本発明が解決しようとする課題】
畝と畝の間の通路にタイヤ式車を走らせる場合、通例は前記通路が狭く、作物などの障害物が多いことや、地面が軟らかく凹凸が激しいためにタイヤへの抵抗が大きく人手で車を移動させるには大変重く、操作も容易でない、といった問題点がある。
【０００６】
また、特許文献１〜３の技術は、通路に軌道式搬送車を走らす目的のレールが敷設されるので、大掛かりになり、それなりに設備費が多く掛かる。その上、軌道式搬送車は簡単、且つ自在に畝から畝への位置の変更ができない。しかも、レールの常設が時として農作業の邪魔になる等の問題点がある。
【０００７】
特許文献４の技術も軌道式搬送車であるが故に、上記したレールの敷設による問題点が解決されないと、好適に使用できない問題点がある。
【０００８】
本発明の目的は、従来の搬送装置に比べ、農作業などには全く邪魔にならず、小型で簡易な構造で、設備作業と設備費を低減でき、しかも温室内の全域にわたり簡単、且つ自在に位置の変更ができる農業用温室の簡易搬送装置を提供することである。
【０００９】
【課題を解決するための手段】
上記従来技術の課題を解決するための手段として、請求項１に記載した発明に係る農業用温室の簡易搬送装置は、
回転軸が農業用温室の天井部位に設けた梁材の上に転動可能に、且つ棟方向に長く配置され、同回転軸の端部に回転伝達装置が設けられ、この回転伝達装置により回転軸を温室の間口方向へ転がして位置の変更が可能とされていること、
回転軸と同方向に長いレール部材が、前記回転軸の転がりを許容する構造の複数の吊り下げ部材によってほぼ水平に回転軸から吊り支持され、同レール部材を走行するトロリーが設置されており、前記トロリーから吊り下げられたコンテナ等を温室の棟方向及び間口方向へ搬送可能であることを特徴とする。
【００１０】
請求項２記載の発明は、請求項１に記載した農業用温室の簡易搬送装置において、
回転軸へ一端を正方向に巻き込んだ複数のベルト、及び負方向に巻き込んだ複数のベルトが回転軸の長手方向に複数箇所交互の配置で設けられ、各ベルトの他端は、前記回転軸に対し間口方向両側の温室部材に止着されていること、
前記回転軸が回転すると一側のベルトが回転軸に巻き込まれ、他側のベルトが巻き戻されて、同回転軸の間口方向への位置変更が強制的に行われることを特徴とする。
【００１１】
請求項３記載の発明は、請求項１又は２に記載した農業用温室の簡易搬送装置において、
トロリーとコンテナの間にクレーン機構が設けられていること、
前記クレーン機構は、端部に回転伝達装置を備えたほぼ水平な回転軸がトロリーの下方に回転可能に支持されており、前記回転軸には、コンテナ等を吊る複数のワイヤー等の上端が同一方向に巻き込まれており、前記回転伝達装置によって回転軸を回転させてワイヤー等を巻き上げ、又は巻き下げてコンテナ等を昇降させる構成とされていることを特徴とする。
【００１２】
【本発明の実施形態、及び実施例】
以下に、請求項１〜３に記載した農業用温室の簡易搬送装置の実施形態を図１〜図６に基づいて説明する。
【００１３】
本発明の簡易搬送装置１は、プラスチックシートハウスやガラス温室等のいわゆる農業用温室（以下、単に温室という。）２の天井部位の棟方向に所定の間隔で設けられた間口方向の梁材３の上に設置して好適に使用される。図１は、例えば間口幅が４〜７ｍ程度の小、中型の温室２での実施形態を示している。大型の温室には通例梁材を設けるので、これを利用する。小、中型の温室には通例梁材がない場合が多いので、簡易搬送装置１を配置するための梁材３を、棟方向に所定の間隔（３ｍ程度の間隔）で後付けして利用する。
【００１４】
建築用仮設材として知られる足場パイプ４の両端を、地面から立ち上がるアーチパイプ５…に、公知のクランプ６、６により取り付けて梁材３とされる。
【００１５】
図１〜図４に示す簡易搬送装置１は、丸管を使用した回転軸７が前記梁材３の上に転動可能に、且つ棟方向に長く、必要に応じて継手により連結して長く配置される。同回転軸７の端部には回転伝達装置８が設けられ、この回転伝達装置８により回転軸７を温室２の間口方向（図１のＸ、Ｙ方向）へ転がして位置の変更が可能とされている。
【００１６】
前記回転軸７は、円形のパイプ７ａで構成され、図２に示すように一方の端部を絞り込んで細径に構成し、この細径端部を、連結するべきパイプ７ａの太径端部へ差し込み、直径方向に通したボルト９及びナット１０で連結されている。前記のような継手により、パイプ７ａ…を必要な本数連結して、回転軸７は温室２の棟方向へ必要な長さ（例えば５０ｍ程度）に構成される。
【００１７】
上記回転伝達装置８としては、例えば特開２００２−１７４３２０号公報の図９に開示した「回転伝達装置」が好適に採用される。この回転伝達装置８は、その出力軸と連結した前記回転軸７の回転（自転）を大きな制動力によって回転不能とし、他方、入力軸を回転するハンドル１１の回転は軽い回転操作で行え、前記出力軸（回転軸７）を正、逆いずれの方向にも自由自在に回転できる構成とされている。ハンドル１１の操作により小さな力で容易に回転軸７を転がすことができ、同ハンドル１１の回転を止めると、その位置のまま風などの外力によって回転軸７が不用意に回転することは大きな制動力によって阻止される。
【００１８】
上記の回転軸７と同方向に長いレール部材１２が、前記回転軸７の転がりを許容する構造の複数の吊り下げ部材１３…によってほぼ水平に回転軸７から吊り支持され、同レール部材１２を走行するトロリー１４が設置されている。
【００１９】
図２に示した通り、レール部材１２は、下向きに開口部１２ａを形成するリップ１２ｂ、１２ｂ付きの溝形鋼状に形成されている。このレール部材１２も、一回り大きな断面形状を有する連結部材１５を用いて突き合わせ接合し、垂直なボルト１６で止着した継手により必要な本数連結して、レール部材１２…が棟方向へ必要な長さに構成されている。
【００２０】
前記吊り下げ部材１３は、その下部に、上記レール部材１２の開口部１２ａを開放する構造で同レール部材１２を抱持するレール支持部材１７を有し、上部には、回転軸７の転がりを許容し、且つレール部材１２を梁材３より下方の位置に吊り下げる長さのフック部材１８を有する。
【００２１】
前記レール部材１２の長手方向に、前記梁材３の位置を避けて一定の間隔を開けた位置に、同レール部材１２の外周を抱えるレール支持部材１７が嵌め込まれ、その上部の水平方向に通したボルト１９及びナット２０で固定されている。前記レール支持部材１７の上方のフック部材１８を回転軸７へ引っ掛けて吊り支持が行われている。図示例の場合は、フック部材１８の下端部から水平に折り曲げたプレート部１８ａをレール支持部材１７の上面に重ね、垂直なボルト１６で止着されているが、これは、レール支持部材１７とフック部材１８とを回転可能な関係に構成して自在性を得る目的による。両部材を溶接等で一体構造に構成しても良い。
【００２２】
従って、ハンドル１１（図１を参照）を正、逆方向に回転して回転伝達装置８を回転駆動すると、図３に示すように回転軸７の転がりに対して吊り下げ部材１３のフック部材１８の接触面が滑り、回転軸７の転がりが許容される。そして、同回転軸７に吊り支持されたレール部材１２の位置は図１の回転軸７の転がり方向に従い間口方向へ自在に移動し、簡易搬送装置１の位置が変わる。
【００２３】
上記トロリー１４は、図３と図４に示すように、レール部材１２のリップ１２ｂ、１２ｂの上面に載って転がるように挿入された前後２組の吊り車２１、２１（但し、組数はこの限りでない。）によって、同レール部材１２の開口部１２ａからベース部材２２を吊り下げた構成である。ベース部材２２の下部には、図１に示すように荷物運搬用のコンテナ２３、或いは必要に応じて噴霧器などの農業用機械機具をワイヤー等２４で吊り下げる２個（複数個）のフック２５、２５が下向きに取付けられている。前記コンテナ２３に収穫物や肥料その他の荷物を積載し、レール部材１２に沿ってトロリー１４を移動させると、棟方向への搬送の目的を達成する。レール部材１２の両端部にはトロリー１４の抜け出し（脱輪）を防ぐ車止めを取り付ける。
【００２４】
ちなみに、図４に示すトロリー１４のベース部材２２には、その両端部に他のトロリー１４と連結する手段として、止めピン２６を差し込む水平に貫通した孔２７が設けられている。前後に連結するトロリー１４、１４の端部を、前記の各孔２７…が同心位置となるように突き合わせ、同孔２７…に止めピン２６を差し込むと、前記のトロリー１４、１４を相互に連結することができ、搬送力の増強を図ることができる。
【００２５】
上記構成の簡易搬送装置１は、従来の搬送装置に比べて飛躍的に簡易な構造で、簡単に設備して使用できるので、設備作業と設備費を低減できる。その上、地上の荷物の直近位置へトロリー１４を簡単に接近させることができ、温室２内の全域にわたり、人手による荷物の持ち運びの少ない搬送作業を行うことができるので、荷物の搬送作業の軽便化、能率化と共に、作業者の労働負担を軽減することができる。
【００２６】
荷物を積載したコンテナ２３などは地上の作物に接触させない空中位置で搬送するので、大きな荷物を搬送してもさしたる障害物がなく、農作業の邪魔にならない。
【００２７】
図１の実施形態では、梁材３をアーチパイプ５に固定したが、温室２の両肩口に直行パイプが配置されている場合は、同直行パイプに梁材３の両端を固定しても良い。
【００２８】
なお、図１は梁材３のない小、中型の温室２の実施形態を示したが、間口幅が１２ｍ程度もある大型の温室２などには、図５に示すように、予めトラス構造の梁材３（又は通常の丸パイプなど）が設けられている場合が多いので、前記梁材３の上に簡易搬送装置１を設置することにより、図１の実施形態と同様に使用することができる。
【００２９】
このような実施形態の場合、コンテナ２３に重い荷物を積載すると、梁材３が撓み、回転軸７が転がりつつも滑り、位置が確実に移動しない場合がある。その対策として、図５の実施形態では、回転軸７の長手方向の複数箇所にベルト誘導機構２８が設けられている。具体的には、回転軸７へ一端を正方向に巻き込んだ複数のベルト２８ａ…、及び負方向に巻き込んだ複数のベルト２８ｂ…が回転軸７の長手方向に複数箇所交互の配置で設けられ、各ベルト２８ａ、２８ｂの他端は、前記回転軸７に対して間口方向両側の温室部材、例えば、本実施形態では棟方向に並ぶアーチパイプ５…を支持している直行パイプ２９、２９に止め金具等（図示は省略）で止着されている。したがって、前記回転軸７が正、逆方向に回転すると、一側のベルト２８ａ（又は２８ｂ）が回転軸７に巻き込まれ、他側のベルト２８ｂ（又は２８ａ）は巻き戻されて、同回転軸７の間口方向への位置変更がベルト２８ａ（又は２８ｂ）の巻き込みにより強制的に行われる（請求項２記載の発明）。そのため、回転軸７は梁材３上で滑って空回りすることなく、確実に、楽に簡易搬送装置１の位置変更を実現できる。
【００３０】
図１及び図５の簡易搬送装置１は、農作業の邪魔にならず、且つ地上の作物と接触しないように、空中位置でコンテナ２３を吊り搬送するが、荷物の搬送作業の一層の軽便化、容易化を図るために、図６に示すように、トロリー１４とコンテナ２３の間にクレーン機構３０を設けると好都合である。
【００３１】
図示したクレーン機構３０は、端部に上記した構成の回転伝達装置３１を備えた回転軸３２がトロリー１４のフック２５、２５で回転可能に支持され、その回転軸３２に、コンテナ２３を吊り下げたワイヤー等２４の上端が同一方向に巻き込まれている。したがって、ハンドル１１を回転して前記回転伝達装置３１を回転駆動することにより、回転軸３２を回転させワイヤー等２４を巻き上げ、又は巻き下げてコンテナ２３を昇降する構成とされている（請求項３記載の発明）。例えば収穫作業を行うときは、ワイヤー等２４を巻き下げてコンテナ２３を地上付近まで下降させ、同コンテナ２３に収穫物を積載する作業を楽にする。同コンテナ２３を移動させるときは、ワイヤー等２４を巻き上げてコンテナ２３が地上の作物と接触しない高さまで上昇させる。したがって、収穫物をコンテナ２３に積載するために、立ち上がったり、屈んだりする反復動作が極力少なくなり、作業者の労働負担を一層軽減することができる。そして、前記コンテナ２３は、温室２内へ乗り入れたトラックの荷台へ直接下ろすことも可能である。
【００３２】
なお、図１及び図５、並びに図６の実施形態では、回転伝達装置８、３１をハンドル１１で駆動させているが、電動駆動方式を採用しても良い。
【００３３】
同様に、図１及び図５、並びに図６の実施形態では、トロリー１４を人手によって移動させているが電動方式で移動させても良い。
【００３４】
更に、図１及び図５の実施形態では、コンテナ２３をトロリー１４のフック２５、２５に吊り下げているが、必要に応じて噴霧器などの農業用機械機具をフック２５へ吊り下げて薬剤散布等の農作業ができ、その労力を軽減することができる。
【００３５】
【本発明の奏する効果】
請求項１〜３に記載した発明に係る農業用温室の簡易搬送装置は、従来の搬送装置に比べて飛躍的に簡易な構造で、簡単に設備して使用できるので、設備作業と設備費を低減できる。その上、地上の荷物の直近位置へトロリーを簡単に接近させることができ、温室内の全域にわたり、人手による荷物の持ち運びの少ない搬送作業を行うことができるので、荷物の搬送作業の軽便化、能率化と共に、作業者の労働負担を軽減することができる。
【００３６】
荷物を積載したコンテナや農業用機械機具などを地上の作物に接触させない空中位置で搬送するので、大きな荷物を搬送してもさしたる障害物がなく、農作業の邪魔にならない。
【図面の簡単な説明】
【図１】本発明の農業用温室の簡易搬送装置を概念的に示した斜視図である。
【図２】吊り下げ部材の構造と、回転軸及びレール部材の連結構造を詳細に示した斜視図である。
【図３】梁材上を移動する簡易搬送装置を示した正面図である。
【図４】レール部材とトロリーの関係を示した斜視図である。
【図５】本発明の異なる農業用温室の簡易搬送装置を概念的に示した斜視図である。
【図６】トロリーとコンテナの間に設けられたクレーン機構の構成を示した斜視図である。
【符号の説明】
１　　　　　　　　　簡易搬送装置
２　　　　　　　　　農業用温室
３　　　　　　　　　梁材
７、３２　　　　　　回転軸
８、３１　　　　　　回転伝達装置
１２　　　　　　　　レール部材
１３　　　　　　　　吊り下げ部材
１４　　　　　　　　トロリー
２３　　　　　　　　コンテナ
２４　　　　　　　　ワイヤー等
２５　　　　　　　　フック
２８ａ、２８ｂ　　　ベルト
３０　　　　　　　　クレーン機構
【図１】
2004097166.tif 000003
【図２】
2004097166.tif 000004
【図３】
2004097166.tif 000005
【図４】
2004097166.tif 000006
【図５】
2004097166.tif 000007
【図６】
2004097166.tif 000008